(57)【要約】【課題】電子アルバムの表示中において、利用者に、画像の再生方法を容易に制御させる。【解決手段】複数の画像を含む電子アルバムを表示する電子アルバム表示システムであって、複数の画像を、交換可能に設けられた記録媒体から読み取って再生する再生部と、無線通信によって再生部を遠隔操作するリモートコントローラと再生部により再生される複数の画像のそれぞれを画面に表示する画像表示部とを備え、リモートコントローラは、画面を含む画像を撮像する撮像部と、撮像部により撮像された画像内における画面の変化を検出する画面変化検出部と、検出された画面の変化に基づいて、複数の画像の再生方法を制御するべく、無線通信によって再生部を遠隔操作する遠隔操作部とを有する電子アルバム表示システムを提供する。【選択図】図２
2006238346.tif 000002
【特許請求の範囲】
【請求項１】
複数の画像を含む電子アルバムを表示する電子アルバム表示システムであって、
前記複数の画像を、交換可能に設けられた記録媒体から読み取って再生する再生部と、
無線通信によって前記再生部を遠隔操作するリモートコントローラと
前記再生部により再生される前記複数の画像のそれぞれを画面に表示する画像表示部と
を備え、
前記リモートコントローラは、
前記画面を含む画像を撮像する撮像部と、
前記撮像部により撮像された画像内における前記画面の変化を検出する画面変化検出部と、
検出された前記画面の変化に基づいて、前記複数の画像の再生方法を制御するべく、無線通信によって前記再生部を遠隔操作する遠隔操作部と
を有する電子アルバム表示システム。
【請求項２】
前記画像表示部は、前記複数の画像に含まれる一の画像にマーカ画像を重畳して表示し、
前記リモートコントローラは、
前記マーカ画像を格納しているマーカ画像格納部
を更に有し、
前記画面変化検出部は、前記撮像部が撮像した画像に含まれる前記マーカ画像を、前記マーカ画像格納部に格納されている前記マーカ画像とのマッチングにより検出すると共に、検出した前記マーカ画像の変化に基づいて、前記撮像部により撮像された画像内における前記画面の変化を検出し、
前記遠隔操作部は、検出された前記画面の変化に基づいて、前記一の画像の再生方法を制御するべく、前記再生部を遠隔操作する
請求項１に記載の電子アルバム表示システム。
【請求項３】
前記画像表示部は、前記マーカ画像をキャプションとして表示する請求項２に記載の電子アルバム表示システム。
【請求項４】
前記リモートコントローラは、
前記遠隔操作部による前記再生部の遠隔操作を有効にするか否かについて、利用者からの指示を受ける操作指示部
を更に有し、
前記遠隔操作部は、前記操作指示部が、当該遠隔操作部による前記再生部の遠隔操作を有効にする旨の指示を受けた場合に、前記画像表示部に前記マーカ画像を表示させるべく、前記再生部を遠隔操作する
請求項２に記載の電子アルバム表示システム。
【請求項５】
前記画像表示部は、前記一の画像に重畳して、２個の前記マーカ画像を表示し、
前記画面変化検出部は、前記２個のマーカ画像の変化に基づいて、前記撮像部により撮像された画像内における前記画面の変化を検出する
請求項２に記載の電子アルバム表示システム。
【請求項６】
前記遠隔操作部は、前記画面変化検出部により、前記２個のマーカ画像の間の距離が増大したと検出された場合に、検出された増大量がより大きい程、前記画像表示部における前記一の画像の表示倍率がより大きくなるように前記一の画像を再生させるべく、前記再生部を遠隔操作する請求項５に記載の電子アルバム表示システム。
【請求項７】
前記遠隔操作部は、前記画面変化検出部により、前記２個のマーカ画像のうち、一方の前記マーカ画像から他方の前記マーカ画像への方向が変化したと検出された場合に、検出された方向の変化に基づいて、前記画像表示部における前記一の画像の表示方向が変化するように前記一の画像を再生させるべく、前記再生部を遠隔操作する請求項５に記載の電子アルバム表示システム。
【請求項８】
前記遠隔操作部は、前記画面変化検出部により、前記マーカ画像の位置が、予め定められた基準値以上の速度で移動したと検出された場合に、前記一の画像の再生を中止して、他の画像の再生を開始させるべく、前記再生部を遠隔操作する請求項２に記載の電子アルバム表示システム。
【請求項９】
前記リモートコントローラは、
前記画面変化検出部により検出された前記画面の変化に基づいて、前記複数の画像の再生順序を含むスケジュールを編集する編集部と、
編集された前記スケジュールを記憶する記憶部と
を更に有し、
前記遠隔操作部は、前記記憶部に記憶されている前記スケジュールに従って前記複数の画像のそれぞれを順次再生させるべく、無線通信によって前記再生部を遠隔操作する
請求項２に記載の電子アルバム表示システム。
【請求項１０】
前記画像表示部は、前記一の画像に重畳して、２個の前記マーカ画像を表示し、
前記画面変化検出部は、前記２個のマーカ画像の変化に基づいて、前記撮像部により撮像された画像内における前記画面の変化を検出し、
前記スケジュールは、前記複数の画像のそれぞれについて、当該画像のうち、何れの範囲の画像が前記画像表示部により表示されるかを示す表示範囲を更に含み、
前記編集部は、前記画像が拡大表示されている場合において、前記２個のマーカ画像を結ぶ線分の中点の位置が変化した場合に、前記中点の位置の変化に基づいて前記一の画像における前記表示範囲を移動させることにより、前記スケジュールを変更して前記記憶部に記憶させる
請求項９に記載の電子アルバム表示システム。
【請求項１１】
複数の画像を含む電子アルバムを表示する電子アルバム表示方法であって、
再生部が、前記複数の画像を、交換可能に設けられた記録媒体から読み取って再生する再生段階と、
無線通信によって前記再生部を遠隔操作するリモートコントロール段階と
前記再生段階において再生される前記複数の画像のそれぞれを画面に表示する画像表示段階と
を備え、
前記リモートコントロール段階は、
前記画面を含む画像を撮像する撮像段階と、
前記撮像段階において撮像された画像内における前記画面の変化を検出する画面変化検出段階と、
検出された前記画面の変化に基づいて、前記複数の画像の再生方法を制御するべく、無線通信によって前記再生部を遠隔操作する遠隔操作段階と
を有する電子アルバム表示方法。
【請求項１２】
複数の画像を含む電子アルバムを表示する電子アルバム表示システムを機能させる電子アルバム表示プログラムであって、
前記電子アルバム表示システムを、
前記複数の画像を、交換可能に設けられた記録媒体から読み取って再生する再生部と、
無線通信によって前記再生部を遠隔操作するリモートコントローラと
前記再生部により再生される前記複数の画像のそれぞれを画面に表示する画像表示部と
を備え、
前記リモートコントローラは、
前記画面を含む画像を撮像する撮像部と、
前記撮像部により撮像された画像内における前記画面の変化を検出する画面変化検出部と、
検出された前記画面の変化に基づいて、前記複数の画像の再生方法を制御するべく、無線通信によって前記再生部を遠隔操作する遠隔操作部と
を有する電子アルバム表示システムとして機能させる電子アルバム表示プログラム。
【請求項１３】
交換可能に設けられた記録媒体から複数の画像を読み取って再生する再生部を遠隔操作するリモートコントローラであって、
前記再生部により再生された前記複数の画像のそれぞれが表示される画面を含む画像を撮像する撮像部と、
前記撮像部により撮像された画像内における前記画面の変化を検出する画面変化検出部と、
検出された前記画面の変化に基づいて、前記複数の画像の再生方法を制御するべく、無線通信によって前記再生部を遠隔操作する遠隔操作部と
を備えるリモートコントローラ。
【請求項１４】
交換可能に設けられた記録媒体から複数の画像を読み取って再生する再生部を遠隔操作するリモートコントローラを機能させるリモートコントロールプログラムであって、
前記リモートコントローラを、
前記再生部により再生された前記複数の画像のそれぞれが表示される画面を含む画像を撮像する撮像部と、
前記撮像部により撮像された画像内における前記画面の変化を検出する画面変化検出部と、
検出された前記画面の変化に基づいて、前記複数の画像の再生方法を制御するべく、無線通信によって前記再生部を遠隔操作する遠隔操作部と
を備えるリモートコントローラとして機能させるリモートコントロールプログラム。
【発明の詳細な説明】
【技術分野】
【０００１】
本発明は、電子アルバム表示システム、電子アルバム表示方法、電子アルバム表示プログラム、リモートコントローラ、及びリモートコントロールプログラムに関する。特に本発明は、複数の画像を含む電子アルバムを表示する電子アルバム表示システム、電子アルバム表示方法、及び電子アルバム表示プログラム、並びに当該電子アルバム表示システムにおいて用いられるリモートコントローラ、及びリモートコントロールプログラムに関する。
【背景技術】
【０００２】
近年、デジタルカメラが急速に普及している。デジタルカメラは、フィルムを感光させて被写体の光学像を記録する銀塩カメラとは異なり、被写体の光学像をＣＣＤ等を用いて受光し、デジタルデータとしてフラッシュメモリ等の記録媒体に記録する。そして、デジタルカメラにより撮像された画像の、デジタルデータであるという特徴を活かして、複数の画像を電子アルバムとして一纏めにして管理すると共に、電子アルバムに含まれる画像をスライドショー等として表示する技術が研究されている。
【０００３】
例えば、画像データをビデオストリームとして加工してＤＶＤ−Ｖｉｄｅｏディスクに記録することにより、一般的なＤＶＤ−Ｖｉｄｅｏプレイヤーを用いて当該ＤＶＤ−Ｖｉｄｅｏディスクを再生して、電子アルバムを表示する技術が開示されている（例えば、特許文献１参照）。
【特許文献１】特開２００３−２５９３０３号公報
【発明の開示】
【発明が解決しようとする課題】
【０００４】
利用者が所有する多数の画像を、ラボ等に依頼してＤＶＤ−Ｖｉｄｅｏディスクに記録し、ＤＶＤプレイヤーを利用して電子アルバムとして鑑賞する場合、記録されている画像の大きさが小さすぎる、または縦横が正しく記録されていないといった問題が発生する場合がある。
【０００５】
しかしながら、特許文献１に記載の技術においては、画像の表示倍率や画像の向きといった画像の再生方法を、電子アルバムの表示中に、利用者が容易に制御する手段については提案されていない。
【０００６】
そこで本発明は、上記の課題を解決することができる電子アルバム表示システム、電子アルバム表示方法、電子アルバム表示プログラム、リモートコントローラ、及びリモートコントロールプログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、複数の画像を含む電子アルバムを表示する電子アルバム表示システムであって、複数の画像を、交換可能に設けられた記録媒体から読み取って再生する再生部と、無線通信によって再生部を遠隔操作するリモートコントローラと再生部により再生される複数の画像のそれぞれを画面に表示する画像表示部とを備え、リモートコントローラは、画面を含む画像を撮像する撮像部と、撮像部により撮像された画像内における画面の変化を検出する画面変化検出部と、検出された画面の変化に基づいて、複数の画像の再生方法を制御するべく、無線通信によって再生部を遠隔操作する遠隔操作部とを有する。
【０００８】
画像表示部は、複数の画像に含まれる一の画像にマーカ画像を重畳して表示し、リモートコントローラは、マーカ画像を格納しているマーカ画像格納部を更に有し、画面変化検出部は、撮像部が撮像した画像に含まれるマーカ画像を、マーカ画像格納部に格納されているマーカ画像とのマッチングにより検出すると共に、検出したマーカ画像の変化に基づいて、撮像部により撮像された画像内における画面の変化を検出し、遠隔操作部は、検出された画面の変化に基づいて、一の画像の再生方法を制御するべく、再生部を遠隔操作してもよい。画像表示部は、マーカ画像をキャプションとして表示してもよい。
【０００９】
リモートコントローラは、遠隔操作部による再生部の遠隔操作を有効にするか否かについて、利用者からの指示を受ける操作指示部を更に有し、遠隔操作部は、操作指示部が、当該遠隔操作部による再生部の遠隔操作を有効にする旨の指示を受けた場合に、画像表示部にマーカ画像を表示させるべく、再生部を遠隔操作してもよい。画像表示部は、一の画像に重畳して、２個のマーカ画像を表示し、画面変化検出部は、２個のマーカ画像の変化に基づいて、撮像部により撮像された画像内における画面の変化を検出してもよい。
【００１０】
遠隔操作部は、画面変化検出部により、２個のマーカ画像の間の距離が増大したと検出された場合に、検出された増大量がより大きい程、画像表示部における一の画像の表示倍率がより大きくなるように一の画像を再生させるべく、再生部を遠隔操作してもよい。遠隔操作部は、画面変化検出部により、２個のマーカ画像のうち、一方のマーカ画像から他方のマーカ画像への方向が変化したと検出された場合に、検出された方向の変化に基づいて、画像表示部における一の画像の表示方向が変化するように一の画像を再生させるべく、再生部を遠隔操作してもよい。遠隔操作部は、画面変化検出部により、マーカ画像の位置が、予め定められた基準値以上の速度で移動したと検出された場合に、一の画像の再生を中止して、他の画像の再生を開始させるべく、再生部を遠隔操作してもよい。
【００１１】
リモートコントローラは、画面変化検出部により検出された画面の変化に基づいて、複数の画像の再生順序を含むスケジュールを編集する編集部と、編集されたスケジュールを記憶する記憶部とを更に有し、遠隔操作部は、記憶部に記憶されているスケジュールに従って複数の画像のそれぞれを順次再生させるべく、無線通信によって再生部を遠隔操作してもよい。画像表示部は、一の画像に重畳して、２個のマーカ画像を表示し、画面変化検出部は、２個のマーカ画像の変化に基づいて、撮像部により撮像された画像内における画面の変化を検出し、スケジュールは、複数の画像のそれぞれについて、当該画像のうち、何れの範囲の画像が画像表示部により表示されるかを示す表示範囲を更に含み、編集部は、画像が拡大表示されている場合において、２個のマーカ画像を結ぶ線分の中点の位置が変化した場合に、中点の位置の変化に基づいて一の画像における表示範囲を移動させることにより、スケジュールを変更して記憶部に記憶させてもよい。
【００１２】
また、本発明の第２の形態においては、複数の画像を含む電子アルバムを表示する電子アルバム表示方法であって、再生部が、複数の画像を、交換可能に設けられた記録媒体から読み取って再生する再生段階と、無線通信によって再生部を遠隔操作するリモートコントロール段階と再生段階において再生される複数の画像のそれぞれを画面に表示する画像表示段階とを備え、リモートコントロール段階は、画面を含む画像を撮像する撮像段階と、撮像段階において撮像された画像内における画面の変化を検出する画面変化検出段階と、検出された画面の変化に基づいて、複数の画像の再生方法を制御するべく、無線通信によって再生部を遠隔操作する遠隔操作段階とを有する。
【００１３】
また、本発明の第３の形態においては、複数の画像を含む電子アルバムを表示する電子アルバム表示システムを機能させる電子アルバム表示プログラムであって、電子アルバム表示システムを、複数の画像を、交換可能に設けられた記録媒体から読み取って再生する再生部と、無線通信によって再生部を遠隔操作するリモートコントローラと再生部により再生される複数の画像のそれぞれを画面に表示する画像表示部とを備え、リモートコントローラは、画面を含む画像を撮像する撮像部と、撮像部により撮像された画像内における画面の変化を検出する画面変化検出部と、検出された画面の変化に基づいて、複数の画像の再生方法を制御するべく、無線通信によって再生部を遠隔操作する遠隔操作部とを有する電子アルバム表示システムとして機能させる。
【００１４】
また、本発明の第４の形態においては、交換可能に設けられた記録媒体から複数の画像を読み取って再生する再生部を遠隔操作するリモートコントローラであって、再生部により再生された複数の画像のそれぞれが表示される画面を含む画像を撮像する撮像部と、撮像部により撮像された画像内における画面の変化を検出する画面変化検出部と、検出された画面の変化に基づいて、複数の画像の再生方法を制御するべく、無線通信によって再生部を遠隔操作する遠隔操作部とを備える。
【００１５】
また、本発明の第５の形態においては、交換可能に設けられた記録媒体から複数の画像を読み取って再生する再生部を遠隔操作するリモートコントローラを機能させるリモートコントロールプログラムであって、リモートコントローラを、再生部により再生された複数の画像のそれぞれが表示される画面を含む画像を撮像する撮像部と、撮像部により撮像された画像内における画面の変化を検出する画面変化検出部と、検出された画面の変化に基づいて、複数の画像の再生方法を制御するべく、無線通信によって再生部を遠隔操作する遠隔操作部とを備えるリモートコントローラとして機能させる。
【００１６】
なお、上記の発明の概要は、本発明の必要な特徴の全てを列挙したものではなく、これらの特徴群のサブコンビネーションもまた、発明となりうる。
【発明の効果】
【００１７】
本発明によれば、電子アルバムの表示中において、利用者に、画像の再生方法を容易に制御させることができる。
【発明を実施するための最良の形態】
【００１８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１９】
図１は、本発明の実施形態に係る電子アルバム表示システム１０の外観の一例を示す。電子アルバム表示システム１０は、再生部１００、画像表示部１１０、及びリモートコントローラ１２０を備え、複数の画像を含む電子アルバムを表示する。具体的には、電子アルバム表示システム１０は、電子アルバムに含まれる複数の画像を、予め定められたスケジュールにより示される表示順序や表示時間等に従って、所謂スライドショーとして順次表示する。図１（ａ）は、表示される電子アルバムを鑑賞している利用者の後方から見た場合の、電子アルバム表示システム１０の外観の一例を示す。また、図１（ｂ）は、表示される電子アルバムを鑑賞している利用者の前方から見た場合の、電子アルバム表示システム１０の外観の一例を示す。
【００２０】
再生部１００は、電子アルバムに含まれる複数の画像を、交換可能に設けられた記録媒体から読み取って再生する。例えば、記録媒体とはＤＶＤ−Ｖｉｄｅｏディスクであり、また、電子アルバムに含まれる複数の画像は、ＭＰＥＧ２等のフォーマットによるビデオストリームとして、スケジュールにより定められている表示順に、当該記録媒体に記録されていてよい。具体的には、複数の画像のそれぞれは、ＭＰＥＧ２等のフォーマットによるビデオストリームにおける、例えば３秒等の予め定められた時間だけ連続するフレーム画像として、記録媒体に記録されていてよい。より具体的には、複数の画像のそれぞれは、ＭＰＥＧ２フォーマットにおける、他のフレーム画像を用いることなく再生可能なフレーム画像であるＩピクチャとしてビデオストリームに含まれると共に、当該Ｉピクチャに予め定められた時間だけ続く、差分が０であるＢピクチャまたはＰピクチャとしてビデオストリームに含まれていてよい。この場合、再生部１００は、例えばＤＶＤ−Ｖｉｄｅｏプレイヤー等であり、ＤＶＤ−Ｖｉｄｅｏディスクである記録媒体からビデオストリームを読み取って再生することにより、電子アルバムに含まれる複数の画像を再生してよい。
【００２１】
また、これに代えて、電子アルバムに含まれる複数の画像は、例えば、ＪＰＥＧ等のフォーマットの画像ファイルとして、画像単位で記録媒体に記録されていてよい。この場合、再生部１００は、例えば、ＪＰＥＧ等のフォーマットの画像ファイルを再生する機能を有するＤＶＤ−Ｖｉｄｅｏプレイヤー等の画像再生装置であってよく、スケジュールに従って、電子アルバムに含まれる複数の画像ファイルのそれぞれを記録媒体から読み取って再生してよい。なお、記録媒体とは、ＣＤ−ＲＯＭやＤＶＤ−ＲＯＭ等の光学式記録媒体であってよく、また、フレキシブルディスク等の磁気記録媒体や、ＭＯ等の光磁気記録媒体、フラッシュメモリ等の半導体記録媒体であってもよい。また、記録媒体は、ＣＤ−ＲＯＭやＤＶＤ−ＲＯＭといった書き込み不可の記録媒体であってよく、また、ＣＤ−ＲやＤＶＤ−Ｒといった追記型の記録媒体や、ＣＤ−ＲＷやＤＶＤ−ＲＷといった書き換え型の記録媒体であってもよい。そして、再生部１００は、電子アルバムに含まれる複数の画像のそれぞれを示す映像信号を、画像表示部１１０に出力する。
【００２２】
画像表示部１１０は、例えばテレビ受像機であり、再生部１００により再生された複数の画像のそれぞれを示す映像信号を受け取って、当該複数の画像のそれぞれを画面に表示する。これにより、画像表示部１１０は、電子アルバムに含まれる複数の画像を、スライドショーとして表示することができる。リモートコントローラ１２０は、無線通信によって再生部１００を遠隔操作する。例えば、リモートコントローラ１２０は、電子アルバムに含まれる画像の表示倍率や表示方向を変更するべく、再生部１００を遠隔操作してよい。また、リモートコントローラ１２０は、デジタルカメラを有しており、画像表示部１１０が電子アルバムに含まれる画像を表示する画面を含む画像を撮像する。
【００２３】
本発明の実施形態に係る電子アルバム表示システム１０は、リモートコントローラ１２０が有するデジタルカメラにより撮像された画像における画像表示部１１０の画面の変化に基づいて、利用者によるリモートコントローラ１２０の移動や回転といった操作を検出し、検出結果に基づいて再生部１００における画像の再生方法を遠隔操作することにより、利用者に、スライドショーにおける画像の再生動作を容易に制御させることを目的とする。
【００２４】
図２は、本発明の実施形態に係る電子アルバム表示システム１０の機能構成の一例を示すブロック図である。電子アルバム表示システム１０は、再生部１００、画像表示部１１０、及びリモートコントローラ１２０を備える。再生部１００は、電子アルバムに含まれる複数の画像を、交換可能に設けられた記録媒体から読み取って再生し、当該複数の画像を示す映像信号を、画像表示部１１０に出力する。また、再生部１００は、当該複数の画像に含まれる一の画像にマーカ画像を重畳した映像信号を、画像表示部１１０に出力してもよい。ここで、マーカ画像とは、白や黒といった予め定められた色の、矩形や円といった予め定められた形状の画像であってよく、リモートコントローラ１２０により撮像された、画像表示部１１０の画面を含む画像の変化を検出する場合に用いられる。
【００２５】
画像表示部１１０は、再生部１００により再生された複数の画像のそれぞれを示す映像信号を受け取って、当該複数の画像のそれぞれを画面に表示する。また、画像表示部１１０は、当該複数の画像に含まれる一の画像にマーカ画像が重畳された画像を画面に表示してもよい。この場合、再生部１００が電子アルバムに含まれる画像にマーカ画像を重畳した画像を表示するのに代えて、画像表示部１１０が、再生部１００から受け取った、電子アルバムに含まれる画像に、マーカ画像を重畳して表示してもよい。
【００２６】
リモートコントローラ１２０は、撮像部２００、画像保持部２１０、マーカ画像格納部２２０、画面変化検出部２３０、操作指示部２４０、及び遠隔操作部２５０を有し、無線通信によって再生部１００を遠隔操作する。撮像部２００は、例えばデジタルカメラであり、画像表示部１１０が電子アルバムに含まれる複数の画像のそれぞれを表示する画面を含む画像を撮像し、撮像した画像を画像保持部２１０及び画面変化検出部２３０に出力する。画像保持部２１０は、撮像部２００が撮像した、画像表示部１１０の画面を含む画像を保持する。ここで、画像保持部２１０は、撮像部２００が撮像した画像を複数保持してよい。
【００２７】
マーカ画像格納部２２０は、画像表示部１１０によって電子アルバムに含まれる画像に重畳して表示されるマーカ画像を格納している。画面変化検出部２３０は、撮像部により撮像された画像内における、画像表示部１１０が画像を表示する画面の変化を検出する。ここで、画像表示部１１０が、電子アルバムに含まれる画像に重畳してマーカ画像を表示している場合には、画面変化検出部２３０は、撮像部２００が撮像した画像に含まれるマーカ画像を、マーカ画像格納部２２０に格納されているマーカ画像とのマッチングにより検出すると共に、検出したマーカ画像の変化に基づいて、撮像部２００により撮像された画像内における、画像表示部１１０の画面の変化を検出してよい。具体的には、画面変化検出部２３０は、撮像部２００により撮像された第１の画像におけるマーカ画像の位置や向き、大きさと、第１の画像が撮像される以前に撮像され、画像保持部２１０により保持されていた第２の画像におけるマーカ画像の位置や向き、大きさとのそれぞれを検出し、第２の画像におけるマーカ画像から第１の画像におけるマーカ画像への変化に基づいて、第２の画像から第１の画像への、画像表示部１１０の画面の位置や向き、大きさ等の変化を検出する。そして、画面変化検出部２３０は、検出した画面の変化を示す情報を、遠隔操作部２５０に出力する。
【００２８】
操作指示部２４０は、遠隔操作部２５０による再生部１００の遠隔操作を有効にするか否かについて、電子アルバム表示システム１０の利用者からの指示を受ける。具体的には、操作指示部２４０は、リモートコントローラ１２０に設けられたボタンであり、利用者が当該ボタンを押下している間、遠隔操作部２５０による再生部１００の遠隔操作を有効にするべく、遠隔操作部２５０にその旨を通知してよい。これに代えて、操作指示部２４０は、利用者が当該ボタンを押下する毎に、遠隔操作部２５０において再生部１００の遠隔操作を有効にするか無効にするかを切り替えるべく、遠隔操作部２５０にその旨を通知してよい。なお、リモートコントローラ１２０に設けられたボタンとは、リモートコントローラ１２０の一部がグリップ形状を示している場合には、当該グリップの一部として設けられたボタンであってよい。これにより、利用者が、遠隔操作部２５０による再生部１００の遠隔操作の有効及び無効の切り替えを容易に行うことができる。
【００２９】
遠隔操作部２５０は、画面変化検出部２３０により検出された、撮像部２００により撮像された画像における画像表示部１１０の画面の変化を示す情報を受け取る。そして、遠隔操作部２５０は、検出された当該画面の変化に基づいて、電子アルバムに含まれる複数の画像の再生方法を制御するべく、無線通信によって再生部１００を遠隔操作する。ここで、無線通信とは、赤外線ＬＥＤ等を用いて再生部１００に赤外線信号を送信することにより行われる赤外線通信であってよく、また、ブルートゥース（Ｒ）等の他の無線通信であってもよい。そして、再生部１００は、遠隔操作部２５０による遠隔操作を受けて、現在再生している画像の再生方法を変更し、変更した再生方法により再生した画像を画像表示部１１０に表示させる。ここで、再生方法とは、例えば、画像の表示倍率や表示方向の制御であってよく、また、現在再生している画像の再生を中止して、スライドショーのスケジュールにより定められる次の画像の再生を開始するスキップ処理であってもよい。
【００３０】
本発明の実施形態に係る電子アルバム表示システム１０によれば、利用者は、リモートコントローラ１２０に設けられた撮像部２００が撮像する画像における、画像表示部１１０の画面の位置や向き、大きさ等が変化するようにリモートコントローラ１２０の位置や向きを変化させることにより、スライドショーにおける画像の再生動作を容易に制御することができる。
【００３１】
なお、リモートコントローラ１２０は、以上に説明した構成に加えて、スケジュール取得部２６０、記憶部２７０、及び編集部２８０を更に有していてもよい。この場合、利用者は、リモートコントローラ１２０を用いることにより、電子アルバム表示システム１０におけるスライドショーの、複数の画像の再生順序等を含むスケジュールを編集すると共に、編集したスケジュールに従って、再生部１００に電子アルバムに含まれる複数の画像を再生させることができる。
【００３２】
まず、リモートコントローラ１２０は、スライドショーのスケジュールを取得する。例えば、再生部１００は、電子アルバムに含まれる複数の画像の再生に先立って、当該複数の画像におけるスライドショーのスケジュールを画像として出力する。具体的には、再生部１００は、当該スケジュールを、公知の方法を用いてＱＲコード（Ｒ）等の２次元コードにエンコードし、当該２次元コードを示す映像信号を画像表示部１１０に出力してよい。そして、画像表示部１１０は、複数の画像の表示に先立って、スケジュールを示す画像を画面に表示する。そして、撮像部２００は、画像表示部１１０が、スケジュールを示す画像を表示している画面を含む画像を撮像し、撮像した画像をスケジュール取得部２６０に出力する。
【００３３】
スケジュール取得部２６０は、撮像部２００が撮像した、画像表示部１１０の画面を含む画像に基づいて、電子アルバムに含まれる複数の画像におけるスライドショーのスケジュールを取得する。具体的には、スケジュール取得部２６０は、撮像部２００が撮像した画像から、画像表示部１１０が複数の画像の表示に先立って表示した、スケジュールを示す２次元コード等の画像を抽出すると共に、抽出した２次元コード等の画像をデコードして、スライドショーのスケジュールを取得する。そして、スケジュール取得部２６０は、取得したスケジュールを記憶部２７０に出力する。記憶部２７０は、スケジュール取得部２６０から受け取ったスケジュールを記憶する。記憶部２７０は、例えばＤＲＡＭ等の揮発性メモリであってよく、また、例えばフラッシュメモリ等の不揮発性メモリであってもよい。
【００３４】
また、画面変化検出部２３０は、検出した画面の変化を示す情報を、編集部２８０に更に出力する。編集部２８０は、画面変化検出部２３０により検出された、画像表示部１１０の画面の変化に基づいて、スライドショーのスケジュールを編集する。そして、編集部２８０は、編集したスケジュールを記憶部２７０に出力し、記憶部２７０に記憶させる。遠隔操作部２５０は、記憶部２７０に記憶されているスケジュールに従って、電子アルバムに含まれる複数の画像のそれぞれを順次再生させるべく、無線通信によって再生部１００を遠隔操作する。例えば、遠隔操作部２５０は、赤外線ＬＥＤ等を用いて、再生部１００に赤外線信号を送信することにより、再生部１００を遠隔操作する。
【００３５】
ここで、第１の例として、電子アルバムに含まれる複数の画像が記録されている記録媒体が、ＤＶＤ−Ｖｉｄｅｏディスクである場合について述べる。この場合、記録媒体に格納されているビデオストリームにおいては、電子アルバムに含まれる複数の画像のそれぞれに対するアクセスを容易にするべく、当該画像を示す１以上の連続するフレーム画像に対して、ＤＶＤ−Ｖｉｄｅｏ規格におけるＰＴＴ（Ｐａｒｔ  ｏｆ  Ｔｉｔｌｅ）、即ちチャプターが定義されていてよい。これにより、再生部１００が、記録媒体に格納されているビデオストリームを再生することによりスライドショーを再生する場合において、遠隔操作部２５０は、再生部１００において再生されるチャプターを制御することにより、再生される画像を切り替えることができる。従って、電子アルバムに含まれる複数の画像における、記憶部２７０に記憶されているスケジュールにより定められた再生順序が、ビデオストリームにフレーム画像として格納されている順序とは異なる場合であっても、遠隔操作部２５０は、スケジュールにより定められた順序で、当該複数の画像のそれぞれに対して定義されているチャプターに再生位置を順次移動させることにより、再生部１００に、スケジュールに従ってスライドショーを再生させることができる。なお、当該第１の例において、遠隔操作部２５０からＤＶＤ−Ｖｉｄｅｏプレイヤーである再生部１００に送信される赤外線信号は、本実施形態に係る電子アルバム表示システム１０に固有のものでなくともよく、再生部１００が通常のＤＶＤ−Ｖｉｄｅｏディスクを再生する場合に、再生部１００に対応したリモートコントローラから出力される、再生するチャプターを前後に移動させる操作や再生するチャプターを任意に指定する操作等を示す赤外線信号であってよい。これにより、再生部１００として、一般的なＤＶＤ−Ｖｉｄｅｏプレイヤーを利用することができる。
【００３６】
次に、第２の例として、電子アルバムに含まれる複数の画像が、ＪＰＥＧ等のフォーマットの画像ファイルとして記録媒体に記録されている場合について述べる。この場合、遠隔操作部２５０は、再生部１００において再生される画像を識別する画像識別子、例えば画像ファイルのファイル名等を変更することにより、再生される画像を切り替えることができる。従って、遠隔操作部２５０は、記憶部２７０に記憶されているスケジュールにより示される順序で、電子アルバムに含まれる複数の画像のそれぞれに対応する画像識別子を再生部１００に通知して当該画像の再生を実行させることにより、再生部１００に、スケジュールに従ってスライドショーを再生させることができる。
【００３７】
本発明の実施形態に係る電子アルバム表示システム１０によれば、利用者は、リモートコントローラ１２０に設けられた撮像部２００が撮像する画像における、画像表示部１１０の画面の位置や向き、大きさ等が変化するようにリモートコントローラ１２０の位置や向きを変化させることにより、スライドショーのスケジュールを容易に編集することができる。
【００３８】
なお、リモートコントローラ１２０として、本図に示したリモートコントローラ１２０の機能を実現することのできるリモートコントロールプログラムがインストールされた携帯電話端末を利用することもできる。これにより、利用者は、手軽に電子アルバム表示システム１０を利用することができる。
【００３９】
図３は、本発明の実施形態に係る画像表示部１１０が表示する画像の一例である画像３００を示す。図４は、本発明の実施形態に係る画像表示部１１０が表示する画像の他の例である画像４００を示す。
【００４０】
画像表示部１１０は、電子アルバムに含まれる一の画像に重畳して、１個のマーカ画像を表示してよい。また、画像表示部１１０は、例えば図３に示すように、電子アルバムに含まれる一の画像に重畳して、２個のマーカ画像３０２及び３０４を表示してもよい。この場合、画面変化検出部２３０は、２個のマーカ画像における、位置や向き、大きさ等の変化に基づいて、撮像部２００により撮像された画像内における、画像表示部１１０が画像を表示する画面の、位置や向き、大きさ等の変化を検出する。１個のマーカ画像のみを用いる場合、電子アルバム表示システム１０は、画像表示部１１０の画面の変化として、平行移動による位置の変化は高い精度で検出できるものの、回転や大きさの変化については、マーカ画像そのものの回転や大きさの変化を検出する必要があるので、高い精度で検出することは容易ではない。しかし、２個のマーカ画像を用いることにより、電子アルバム表示システム１０は、画像表示部１１０の画面の変化として、平行移動による位置の変化だけでなく、回転や大きさの変化についても、高い精度で検出することができる。
【００４１】
また、画像表示部１１０は、例えば図４に示すように、電子アルバムに含まれる一の画像に重畳して、画像表示部１１０における主走査方向と副走査方向とのそれぞれにおける大きさが互いに異なる１個のマーカ画像４０２を表示してもよい。この場合においても、電子アルバム表示システム１０は、撮像された画像に含まれる画像表示部１１０の画面において、平行移動による位置の変化だけでなく、回転や大きさの変化についても、高い精度で検出することができる。何れの場合においても、画像表示部１１０は、利用者がリモートコントローラ１２０を移動させたり回転させたりする操作によって生じる、撮像部２００が撮像した画像における画像表示部１１０の画面の変化を、マーカ画像の変化によって検出することにより、画面全体の画像をマッチングする等して検出する場合に比べて、より高速に、より高い精度で検出することができる。
【００４２】
また、画像表示部１１０は、マーカ画像を、例えば字幕等のキャプションとして表示してよい。具体的には、再生部１００が、ＤＶＤ−Ｖｉｄｅｏディスクを再生することにより電子アルバムを再生する場合に、ＤＶＤ−Ｖｉｄｅｏ規格におけるサブピクチャとしてＤＶＤ−Ｖｉｄｅｏディスクに記録されているマーカ画像を再生して、電子アルバムに含まれる画像に重畳し、画像表示部１１０に表示させてよい。これにより、電子アルバム表示システム１０において、再生部１００として、一般的なＤＶＤ−Ｖｉｄｅｏ再生装置を利用することができる。
【００４３】
なお、電子アルバム表示システム１０において、以上に説明したマーカ画像は、常に表示されていてもよく、また、表示と非表示とが切り替え可能に制御されていてもよい。例えば、遠隔操作部２５０は、操作指示部２４０が、遠隔操作部２５０による再生部１００の遠隔操作を有効にする旨の指示を受けた場合に、画像表示部１１０にマーカ画像を表示させるべく、再生部１００を遠隔操作してよい。これを受けて、再生部１００は、遠隔操作部２５０による遠隔操作に基づいて、電子アルバムの画像にマーカ画像を重畳するか否かを切り替える。これにより、利用者がリモートコントローラ１２０を移動させたり回転させたりして、再生部１００における画像の再生方法を制御する場合以外は、スライドショーにおいてマーカ画像を非表示とすることができるので、画像の鑑賞中にマーカ画像を邪魔だと感じさせることのない、品質の高いスライドショーを利用者に提供することができる。
【００４４】
図５は、本発明の実施形態に係る画像表示部１１０における画面の変化の第１の例を示す。図５（ａ）は、本発明の実施形態に係る撮像部２００が撮像した画像５００を示す。図５（ｂ）は、本発明の実施形態に係る撮像部２００が、画像５００の後に撮像した画像５１０を示す。
【００４５】
画面変化検出部２３０は、画像５００において、マーカ画像５０２及びマーカ画像５０４を検出する。そして、画面変化検出部２３０は、画像５００における、マーカ画像５０２及びマーカ画像５０４の間の距離、例えばそれぞれのマーカ画像の重心位置の間の距離を検出する。また、画面変化検出部２３０は、画像５１０において、マーカ画像５１２及びマーカ画像５１４を検出する。そして、画面変化検出部２３０は、画像５１０における、マーカ画像５１２及びマーカ画像５１４の間の距離を検出する。そして、画面変化検出部２３０は、画像５００から画像５１０にかけての、２個のマーカ画像の間の距離の変化、つまり距離が増大したのか縮小したのかを検出する。
【００４６】
そして、遠隔操作部２５０は、画面変化検出部２３０により、画像５００から画像５１０にかけて、２個のマーカ画像の間の距離が増大したと検出された場合に、検出された増大量がより大きい程、画像表示部１１０において現在表示されている、電子アルバムに含まれる一の画像の表示倍率がより大きくなるように当該一の画像を再生させるべく、再生部１００を遠隔操作する。
【００４７】
本発明の実施形態に係る電子アルバム表示システム１０によれば、画像表示部１１０に画像が表示されている状態で、利用者が、リモートコントローラ１２０を画像表示部１１０に近づくように移動させることにより、当該画像の表示倍率を増加させることができると共に、リモートコントローラ１２０を画像表示部１１０から遠ざかるように移動させることにより、当該画像の表示倍率を減少させることができる。これにより、再生部１００が再生する記録媒体に格納されている画像のサイズが適切でないと感じる場合等に、利用者は、当該画像の表示倍率を容易に変更することができる。
【００４８】
なお、本例において、遠隔操作部２５０は、２個のマーカ画像の間の距離における増大量がより大きい程、画像の表示倍率をより大きくするべく再生部１００を遠隔操作したが、これに代えて、２個のマーカ画像の間の距離における増大量がより大きい程、画像の表示倍率をより小さくするべく再生部１００を遠隔操作してもよい。
【００４９】
図６は、本発明の実施形態に係る画像表示部１１０における画面の変化の第２の例を示す。図６（ａ）は、本発明の実施形態に係る撮像部２００が撮像した画像６００を示す。図６（ｂ）は、本発明の実施形態に係る撮像部２００が、画像６００の後に撮像した画像６１０を示す。
【００５０】
画面変化検出部２３０は、画像６００において、マーカ画像６０２及びマーカ画像６０４を検出する。そして、画面変化検出部２３０は、画像６００における、一方のマーカ画像から他方のマーカ画像への方向、例えばマーカ画像６０２の重心位置からマーカ画像６０４の重心位置へのベクトルを検出する。また、画面変化検出部２３０は、画像６１０において、マーカ画像６１２及びマーカ画像６１４を検出する。そして、画面変化検出部２３０は、画像６１０における、一方のマーカ画像から他方のマーカ画像への方向、例えばマーカ画像６１２の重心位置からマーカ画像６１４の重心位置へのベクトルを検出する。そして、画面変化検出部２３０は、画像６００から画像６１０にかけての、２個のマーカ画像のうち、一方のマーカ画像から他方のマーカ画像への方向の変化を検出する。
【００５１】
そして、遠隔操作部２５０は、画面変化検出部２３０により、２個のマーカ画像のうち、一方のマーカ画像から他方のマーカ画像への方向が変化したと検出された場合に、検出された方向の変化に基づいて、画像表示部１１０において現在表示されている、電子アルバムに含まれる一の画像の表示方向が変化するように、当該一の画像を再生させるべく、再生部１００を遠隔操作する。具体的には、遠隔操作部２５０は、画面変化検出部２３０により検出された、画像６００にける、一方のマーカ画像から他方のマーカ画像へのベクトルと、画像６１０におけるベクトルとのなす角度、または当該角度に対して予め定められた倍率を乗じた角度だけ、表示中の画像の表示方向を変化させるべく、再生部１００を遠隔操作する。
【００５２】
より具体的には、遠隔操作部２５０は、画面変化検出部２３０により、画像６００において画面に向かって右方向のベクトルが検出され、また画像６１０において画面に向かって上方向のベクトルが検出された場合、即ち、画像６００から画像６１０にかけて、画面に向かって左回りに９０度の回転が検出された場合に、現在表示されている画像を、検出された回転方向とは逆方向に、画面に向かって右回りに９０度回転させて表示させるべく、再生部１００を遠隔操作する。なお、遠隔操作部２５０は、これに代えて、画面変化検出部２３０により検出されたベクトルの回転方向と同じ方向に回転させて画像を表示させるべく、再生部１００を遠隔操作してもよい。
【００５３】
本発明の実施形態に係る電子アルバム表示システム１０によれば、画像表示部１１０に画像が表示されている状態で、利用者が、リモートコントローラ１２０を、リモートコントローラ１２０から画像表示部１１０に向かう方向に垂直な面内で回転させることにより、当該画像の表示方向を変化させることができる。これにより、再生部１００が再生する記録媒体に格納されている画像において、縦横が逆である等、画像の向きが適切でない場合に、利用者は、容易に当該画像の表示方向を変更することができる。
【００５４】
図７は、本発明の実施形態に係る画像表示部１１０における画面の変化の第３の例を示す。図７（ａ）は、本発明の実施形態に係る撮像部２００が撮像した画像７００を示す。図７（ｂ）は、本発明の実施形態に係る撮像部２００が、画像７００の後に撮像した画像７１０を示す。
【００５５】
画面変化検出部２３０は、画像７００において、マーカ画像７０２及びマーカ画像７０４を検出する。そして、画面変化検出部２３０は、画像７００における、マーカ画像７０２及びマーカ画像７０４の位置、例えば重心位置を検出する。また、画面変化検出部２３０は、画像７１０において、マーカ画像７１２及びマーカ画像７１４を検出する。そして、画面変化検出部２３０は、画像７１０における、マーカ画像７１２及びマーカ画像７１４の位置を検出する。そして、画面変化検出部２３０は、画像７００から画像７１０にかけての、マーカ画像の位置が移動した速度を検出する。具体的には、画面変化検出部２３０は、画像７００及び画像７１０のそれぞれにおける、対応するマーカ画像、例えばマーカ画像７０２及びマーカ画像７１２の位置の変化量を検出する。そして、画面変化検出部２３０は、検出したマーカ画像の位置の変化量を、画像７００と画像７１０との撮像時刻の間隔で除算することにより、マーカ画像の位置が移動した速度を検出する。これに代えて、画面変化検出部２３０は、マーカ画像の位置の変化の検出に用いる２枚の画像が常に一定の間隔で撮像されている場合には、検出した位置の変化量そのものを、マーカ画像が移動した速度として検出してもよい。また、画面変化検出部２３０は、２個のマーカ画像のうち、何れか一方のマーカ画像の位置の変化量に基づいて速度を検出するのに変えて、２個のマーカ画像の位置における中点の位置の変化量に基づいて速度を検出してもよい。
【００５６】
そして、遠隔操作部２５０は、画面変化検出部２３０により、マーカ画像の位置が、予め定められた基準値以上の速度で移動したと検出された場合に、現在再生されている画像の再生を中止して、他の画像の再生を開始させる、所謂スキップ動作を実行させるべく、再生部１００を遠隔操作する、
【００５７】
本発明の実施形態に係る電子アルバム表示システム１０によれば、画像表示部１１０に画像が表示されている状態で、利用者が、リモートコントローラ１２０を、リモートコントローラ１２０から画像表示部１１０に向かう方向に垂直な面内で素早く移動させることにより、当該画像の再生を中止して、他の画像を再生させることができる。これにより、電子アルバムに含まれる画像を素早く閲覧したい場合や、見たくない画像が含まれている場合に、利用者は、容易に、表示中の画像をスキップして次の画像を表示させることができる。
【００５８】
図８は、本発明の実施形態に係る編集部２８０におけるスケジュールの編集処理の一例を示す。図８（ａ）は、本発明の実施形態に係る撮像部２００が撮像した画像８００を示す。図８（ｂ）は、本発明の実施形態に係る撮像部２００が、画像８００の後に撮像した画像８１０を示す。図８（ｃ）は、本発明の実施形態に係る撮像部２００が、画像８１０の後に撮像した画像８２０を示す。図８（ｄ）は、本発明の実施形態に係る電子アルバムに含まれる画像８３０を示す。
【００５９】
本例において、リモートコントローラ１２０は、スケジュール取得部２６０、記憶部２７０、及び編集部２８０を用いて、スライドショーのスケジュールを編集すると共に、編集したスケジュールに従って、再生部１００に画像を再生させる。また、本例において、スライドショーのスケジュールは、電子アルバムに含まれる複数の画像のそれぞれについて、当該画像のうち、何れの範囲の画像が画像表示部１１０により表示されるかを示す表示範囲を更に含んでいる。
【００６０】
画面変化検出部２３０は、画像８００において、マーカ画像８０２及びマーカ画像８０４を検出する。そして、画面変化検出部２３０は、画像８００における、マーカ画像８０２及びマーカ画像８０４の間の距離、例えばそれぞれのマーカ画像の重心位置の間の距離を検出する。また、画面変化検出部２３０は、画像８１０において、マーカ画像８１２及びマーカ画像８１４を検出する。そして、画面変化検出部２３０は、画像８１０における、マーカ画像８１２及びマーカ画像８１４の間の距離を検出する。更に、画面変化検出部２３０は、画像８１０における、マーカ画像８１２及びマーカ画像８１４を結ぶ線分の中点の位置、例えばそれぞれの重心位置の中点を検出する。そして、画面変化検出部２３０は、例えば図３において説明したように、画像８００から画像８１０にかけて、２個のマーカ画像の間の距離が増大している場合、遠隔操作部２５０に、現在表示されている画像を増大量に応じて拡大して表示させるべく、再生部１００を遠隔操作させる。そして、画面変化検出部２３０は、画像８２０において、マーカ画像８２２及びマーカ画像８２４を検出する。そして、画面変化検出部２３０は、画像８２０における、マーカ画像８２２及びマーカ画像８２４を結ぶ線分の中点の位置を検出する。そして、画面変化検出部２３０は、画像８１０から画像８２０にかけての、２個のマーカ画像を結ぶ線分の中点の位置の変化を検出する。
【００６１】
そして、編集部２８０は、現在表示されている画像が拡大表示されている場合において、画面変化検出部２３０により、２個のマーカ画像を結ぶ線分の中点の位置が変化したと検出された場合に、当該中点の位置の変化に基づいて、当該表示されている画像における表示範囲を移動させることにより、スケジュールを変更して記憶部２７０に記憶させる。例えば、編集部２８０は、２個のマーカ画像を結ぶ線分の中点の位置が、点８１６から点８２６へのように、画面に向かって右下の方向に変化していると検出された場合に、現在表示されている画像の表示範囲を、画像８２０において示したような範囲から、当該範囲に対して中点の位置の変化の方向とは逆の方向である左上に位置する、画像８３０における枠８３２として示した範囲に移動させるべく、スケジュールを変更する。そして、遠隔操作部２５０は、記憶部２７０に記憶されているスケジュールに従ってスライドショーを表示させる場合には、移動させた表示範囲の画像が表示されるべく、再生部１００を遠隔操作する。
【００６２】
本発明の実施形態に係る電子アルバム表示システム１０によれば、画像表示部１１０に画像が表示されている状態で、利用者が、リモートコントローラ１２０を画像表示部１１０に近づくように移動させた後、リモートコントローラ１２０から画面表示部１１０への方向に垂直な面内でリモートコントローラ１２０を移動させることにより、当該画像を拡大して表示する場合に、画像の何れの部分を表示するかを、容易に変更することができる。
【００６３】
なお、本例においては、スケジュールにおける表示範囲を変更する処理についてのみ説明したが、編集部２８０は、例えば図５から図７において説明した例と同様に、表示倍率や表示方向等の変更内容をスケジュールに反映して、記憶部２７０に格納させてもよい。
【００６４】
図９は、本発明の実施形態に係る電子アルバム表示システム１０における処理の流れの一例を示すフローチャートである。まず、操作指示部２４０が、遠隔操作部２５０による再生部１００の遠隔操作を有効にするか否かについて、電子アルバム表示システム１０の利用者からの指示を受ける（Ｓ１０００）。続いて、遠隔操作部２５０は、画像表示部１１０にマーカ画像を表示させるべく、再生部１００を遠隔操作する（Ｓ１０１０）。続いて、再生部１００は、電子アルバムに含まれる画像を再生してマーカ画像を重畳し、画像表示部１１０に表示させる（Ｓ１０２０）。
【００６５】
続いて、撮像部２００は、画像表示部１１０の画面を含む画像を撮像する（Ｓ１０３０）。続いて、画像保持部２１０は、撮像された画像を保持する（Ｓ１０４０）。続いて、撮像部２００は、再度、画像表示部１１０の画面を含む画像を撮像する（Ｓ１０５０）。続いて、画面変化検出部２３０は、先に撮像され、画像保持部２１０に保持されている画像と、後に撮像された画像との２枚の画像における、画像表示部１１０の画面の位置や向き、大きさ等の変化を検出する（Ｓ１０６０）。続いて、遠隔操作部２５０は、画面変化検出部２３０により検出された画面の変化に基づいて、再生部１００における画像の再生方法を制御するべく、再生部１００を遠隔操作する（Ｓ１０７０）。続いて、再生部１００は、遠隔操作部２５０からの遠隔操作に基づいて、表示倍率や表示方向等を変更して画像を再生したり、また他の画像の再生を開始したりして、画像表示部１１０に画像を表示させる（Ｓ１０８０）。
【００６６】
図１０は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００６７】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００６８】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム及びデータを格納する。通信インターフェイス１５３０は、ネットワークを介してリモートコントローラ１２０と通信し、リモートコントローラ１２０にプログラム及びデータを提供する。ＣＤ−ＲＯＭドライブ１５６０は、ＣＤ−ＲＯＭ１５９５からプログラム又はデータを読み取り、ＲＡＭ１５２０を介してハードディスクドライブ１５４０及び通信インターフェイス１５３０に提供する。
【００６９】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７０】
ＲＡＭ１５２０を介してハードディスクドライブ１５４０に提供される電子アルバム表示プログラムは、フレキシブルディスク１５９０、ＣＤ−ＲＯＭ１５９５、又はＩＣカード等の記録媒体に格納されて利用者によって提供される。電子アルバム表示プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行される電子アルバム表示プログラムは、ＣＰＵ１５０５等に働きかけて、コンピュータ１５００を、図１から図９にかけて説明した電子アルバム表示システム１０として機能させる。
【００７１】
また、ＲＡＭ１５２０を介して通信インターフェイス１５３０に提供されるリモートコントロールプログラムは、フレキシブルディスク１５９０、ＣＤ−ＲＯＭ１５９５、又はＩＣカード等の記録媒体に格納されて利用者によって提供される。リモートコントロールプログラムは、記録媒体から読み出され、ＲＡＭ１５２０を介して通信インターフェイス１５３０に提供され、ネットワークを介してリモートコントローラ１２０に送信される。リモートコントローラ１２０に送信されたリモートコントロールプログラムは、リモートコントローラ１２０においてインストールされて実行される。リモートコントローラ１２０にインストールされて実行されるリモートコントロールプログラムは、リモートコントローラ１２０を、図１から図９にかけて説明したリモートコントローラ１２０として機能させる。
【００７２】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７４】
【図１】本発明の実施形態に係る電子アルバム表示システム１０の外観の一例を示す図である。
【図２】本発明の実施形態に係る電子アルバム表示システム１０の機能構成の一例を示すブロック図である。
【図３】本発明の実施形態に係る画像表示部１１０が表示する画像の一例である画像３００を示す図である。
【図４】本発明の実施形態に係る画像表示部１１０が表示する画像の他の例である画像４００を示す図である。
【図５】本発明の実施形態に係る画像表示部１１０における画面の変化の第１の例を示す図である。
【図６】本発明の実施形態に係る画像表示部１１０における画面の変化の第２の例を示す図である。
【図７】本発明の実施形態に係る画像表示部１１０における画面の変化の第３の例を示す図である。
【図８】本発明の実施形態に係る編集部２８０におけるスケジュールの編集処理の一例を示す図である。
【図９】本発明の実施形態に係る電子アルバム表示システム１０における処理の流れの一例を示すフローチャートである。
【図１０】本発明の実施形態に係るコンピュータ１５００のハードウェア構成の一例を示すブロック図である。
【符号の説明】
【００７５】
１０  電子アルバム表示システム、１００  再生部、１１０  画像表示部、１２０  リモートコントローラ、２００  撮像部、２１０  画像保持部、２２０  マーカ画像格納部、２３０  画面変化検出部、２４０  操作指示部、２５０  遠隔操作部、２６０  スケジュール取得部、２７０  記憶部、２８０  編集部
【図１】
2006238346.tif 000003
【図２】
2006238346.tif 000004
【図３】
2006238346.tif 000005
【図４】
2006238346.tif 000006
【図５】
2006238346.tif 000007
【図６】
2006238346.tif 000008
【図７】
2006238346.tif 000009
【図８】
2006238346.tif 000010
【図９】
2006238346.tif 000011
【図１０】
2006238346.tif 000012